(57)【要約】【課題】  卓上などの占有面積が小さく、設置場所の制限が少なく、かつ、使用済紙片を有効に利用できる日めくりカレンダー及びそのホルダー得る。【解決手段】  基板と、基板上部に設けられた支持体と、表面には日付が印刷され裏面には余白がある複数の紙片と、を有してなる日めくりカレンダーであって、上記複数の紙片は、一辺に設けられた貫通孔が上記支持体に通されることによって基板上に保持され、支持体に沿って移動することで基板の裏面側に紙片の裏面が現れる日めくりカレンダーによる。【選択図】図１
0003123089.tif 000002
【実用新案登録請求の範囲】
【請求項１】
基板と、
基板上部に設けられた支持体と、
表面には日付が印刷され裏面には余白がある複数の紙片と、を有してなる日めくりカレンダーであって、
上記複数の紙片は、一辺に設けられた貫通孔が上記支持体に通されることによって基板上に保持され、支持体に沿って移動することで基板の裏面側に裏面が現れることを特徴とする日めくりカレンダー。
【請求項２】
水平面上に自立可能な縦型のホルダーであって、
自立した状態で請求項１記載の日めくりカレンダーの基板を受け入れ、この基板が起立した状態で保持できることを特徴とする日めくりカレンダー用のホルダー。
【考案の詳細な説明】
【技術分野】
【０００１】
本考案は、日めくりカレンダー紙片をメモ用紙として有効利用することができる日めくりカレンダーとそのホルダーに関するものである。
【背景技術】
【０００２】
日めくりカレンダーは、１日毎の日付及び曜日などを印刷した紙片を所定日数分（大体は３６５日分）重ねて綴じたものである。毎日、最上部にある紙片を切り離して、当日の日付が最上面に現れるようにしたものである。
【０００３】
従って、日めくりカレンダーの１日分の各紙片は、日付が変われば破棄されるものであって、有効利用されていなかった。この日めくりカレンダーの用済みとなった紙片を有効に利用するための従来例として、日めくりカレンダーの使用済の紙片をリング体に支持したまま捲ることができるように構成することにより、メモ書きなどを残した紙片を破棄することなく容易に保管できるようにしたものが提案されている（例えば、特許文献１参照）。
【０００４】
【特許文献１】実用新案登録第３０４０６４８号公報
【０００５】
上記の従来例によれば、使用済の日めくりカレンダー紙片を、メモ用紙として利用できる。しかしながら、使用済の紙片は支持体を通して左右方向に捲る構造であるので、残余の日めくりカレンダー紙片と、使用済の日めくりカレンダー紙片の裏面とは、左右に並列的に配置されるこことなる。これによって、左右方向に平面的に大きく場所を占有せざるを得ず、例えば、卓上の占有面積が大きくなるなど、利用場所に制限が生じていた。
【考案の開示】
【考案が解決しようとする課題】
【０００６】
本考案は、上記課題を鑑みてなされたものであって、卓上などの占有面積が小さく、設置場所の制限が少なく、かつ、使用済紙片を有効に利用できる日めくりカレンダー及びそのホルダーを提供することを目的とする。
【課題を解決するための手段】
【０００７】
本考案は、基板と、基板上部に設けられた支持体と、表面には日付が印刷され裏面には余白がある複数の紙片と、を有してなる日めくりカレンダーであって、上記複数の紙片は、一辺に設けられた貫通孔が上記支持体に通されることによって基板上に保持され、支持体に沿って移動することで基板の裏面側に紙片の裏面が現れることを特徴とする。
【０００８】
また、本考案は、水平面上に自立可能な縦型のホルダーであって、自立した状態で上記日めくりカレンダーを保持した基板を受け入れ、この基板が起立した状態で保持できることを特徴とする。
【考案の効果】
【０００９】
本考案によれば、日めくりカレンダーの紙片をメモ用紙として有効利用でき、かつ、場所も取らないように保持することができる。また、本考案によれば、カレンダー部分のみを交換可能なホルダーを提供することによって資源の有効利用を図ることもできる。
【考案を実施するための最良の形態】
【００１０】
以下、本考案にかかる日めくりカレンダー及びカレンダーホルダーの実施例について図面を参照しながら説明する。
図１において、符号１０は日めくりカレンダーを示す。日めくりカレンダー１０は、平板状の基板２と、基板２の上部に設けられたリング状の二つの支持体３と、表面には日付が印刷され裏面には余白がある複数の紙片１と、を有してなる。各紙片１は、表面に日付や曜日が印刷され、上端縁近くに二つの貫通孔が設けられている。この貫通孔が上記支持体３に通されることによって基板２上に保持されている。
【００１１】
図２において、カレンダーの各紙片１を固定する基板２は、上端縁近くの２箇所に貫通孔が設けられている。これらの孔にリング状の支持体３がそれぞれ圧入されることによって、支持体３が基板２に一体的に、また、リング状の支持体３が基板２の上端を表裏方向に跨ぐ姿勢で設けられている。各支持体３は、複数のカードを束ねて保持し、カードごとにめくることができるようにしたファイル用のリングと同じ構成のもの、その他適宜のリング状支持体を用いることができる。また、各支持体３は、必要に応じてリングの一部を開閉することが可能で、開いた位置からカードを挿入してその貫通孔を支持体３に通すことができるようにしたものが望ましい。このように支持体３によって基板２上にカレンダーの紙片１を保持することで、カレンダーの各紙片１は支持体３に沿って基板２の裏面側に向けて回転しながら移動することが可能なように構成されている（図１参照）。
【００１２】
紙片１は、毎日１枚ずつ上記のようにして基板２の裏面側に向けてめくられ、紙片１の裏面が基板２の裏面側に現れる。紙片１の裏面側には余白があるので、この余白に自由にメモを記入して、メモ用紙として利用することができる。メモを記入する際は、基板２を下敷きとして利用することができる。上記紙片１の裏面にメモ用紙として利用するのに便利なように罫線を印刷してもよい。メモを記入した紙片はそのまま保存してもよいし、支持体３から取り外し、あるいは引きちぎって破棄してもよい。
【００１３】
図３は、以上説明した日めくりカレンダーを保持するホルダーの実施例を示す。図３において、ホルダー４は、主として台座４ａと、左右一対の側板４ｂによって構成される。一対の側板４ｂは台座４ａから一体に立ち上がっており、一対の側板４ｂの互いに対向する面には上下方向に溝４ｃが形成されている。この一対の溝４ｃに基板２の左右両側縁部を落とし込むことによって基板２をホルダー４で保持することができる。
【００１４】
台座４ａは前後方向の奥行きが比較的広く、上下方向の厚みもある程度大きな厚みを持った安定感のある部材である。この台座４ａの上面左右から、基板２の高さと同等の高さを有する上記一対の側板４ｂがそれぞれ一体に立ち上がっている。
【００１５】
側板４ｂは、台座４ａの上面の奥行きと同等の奥行きの底部から、台座４ａの上面の奥行きよりも狭い上部に向けて縦長の台形を成している。また、側板４ｂは、左右対向する位置に基板２を挟んで保持するための溝４ｃが、側板４ｂの上部から台座４ａの上面に至る長さで形成されており、基板２はその両側縁部を、側板２の上側から上記溝４ｃに挿入することによりホルダー４に略垂直方向の姿勢で保持させることができように構成されている。台座４ａと側板４ｂからなるホルダー４は、これを樹脂による一体成形によって製造することができる。
【００１６】
このように、ホルダー４は、基板２を垂直方向に向いた姿勢で保持することができ、ホルダー４の底部をなす台座４ａは、奥行き方向に幅広く、上下方向の厚さも厚く構成されているので、卓上などに設置した際に姿勢が安定して、基板２を安定に保持することができる。
【００１７】
従って、日めくりカレンダーの紙片１を保持した基板２を、水平面上に自立可能な縦型のホルダー４に挿入して縦方向の姿勢で保持することで、設置場所を広く必要とすることなく、日めくりカレンダーを設置することが可能となる。上記実施例にかかる日めくりカレンダーをホルダー４に保持させて、例えば卓上に置いても、それほど広い面積を占有するものではないから、邪魔にならない。日めくりカレンダーとしても十分に機能する。また、メモを取る必要性が生じたときは、めくられて基板２の裏面側にあり、かつ、裏面が現れている紙片１の上記裏面の余白にメモを記入することができる。メモをとる場合は、基板２を含む日めくりカレンダーをホルダー４から取り外してもよいし、ホルダー４に保持させたままでもよい。
【００１８】
また、図３に示す実施例のように、少なくとも一方の側板４ｂの外側面に、有底筒形のペンホルダー５を設けるとよい。ペンホルダー５に筆記用具を置いておけば、メモが必要な場合にすばやく筆記用具を用意することができるし、そのそばにある紙片１をメモ用紙として使用することができる。
【図面の簡単な説明】
【００１９】
【図１】本考案にかかる日めくりカレンダーの実施例を示す斜視図である。
【図２】本考案にかかる日めくりカレンダーに用いる基板の例を示す斜視図である。
【図３】本考案にかかる日めくりカレンダー用ホルダーの実施例を示す斜視図である。
【符号の説明】
【００２０】
１  紙片
２  基板
３  支持体
４  ホルダー
１０  日めくりカレンダー
【図１】
0003123089.tif 000003
【図２】
0003123089.tif 000004
【図３】
0003123089.tif 000005
【手続補正書】
【提出日】平成18年4月27日(2006.4.27)
【手続補正１】
【補正対象書類名】実用新案登録請求の範囲
【補正対象項目名】全文
【補正方法】変更
【補正の内容】
【実用新案登録請求の範囲】
【請求項１】
基板と、
基板上部に設けられた支持体と、
表面には日付が印刷され裏面には余白がある複数の紙片と、を有してなる日めくりカレンダーであって、
上記複数の紙片は、一辺に設けられた貫通孔が上記支持体に通されることによって基板上に保持され、支持体に沿って移動することで基板の裏面側に裏面が現れることを特徴とする日めくりカレンダー。
【請求項２】
基板と、基板上部に設けられた支持体と、表面には日付が印刷され裏面には余白がある複数の紙片と、を有し、上記複数の紙片は、一辺に設けられた貫通孔が上記支持体に通されることによって基板上に保持され、支持体に沿って移動することで基板の裏面側に裏面が現れる日めくりカレンダー用のホルダーであって、
台座と、この台座から一体に立ち上がった一対の側板を有し、
上記一対の側板の対向位置に上記日めくりカレンダーの基板を挟んで保持する溝が形成され、上記基板を起立させた状態で保持できることを特徴とする日めくりカレンダー用のホルダー。